【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
エラストマーポリマーと皮膚接触表面とを含む、主母材；及び
臨床上有益な添加剤と担体とを含んでおり、前記皮膚接触表面に施される、コーティング組成物；
を含むエラストマー製品。
【請求項２】
エラストマー製品が手袋である、請求項１記載のエラストマー製品。
【請求項３】
エラストマーポリマーがブロックコポリマーを含む、請求項１又は２記載のエラストマー製品。
【請求項４】
ブロックコポリマーが、スチレン-イソプレン-スチレンブロックコポリマー、スチレン-ポリブタジエン-スチレンブロックコポリマー、スチレン-ブタジエンブロックコポリマー、スチレン-エチレンブチレン-スチレンブロックコポリマー及びそれらの混合物からなる群より選択される、請求項１〜３のいずれか１項記載のエラストマー製品。
【請求項５】
担体が自己乳化ワックスを含む、請求項１〜４のいずれか１項記載のエラストマー製品。
【請求項６】
主母材が、天然ゴム、ニトリルゴム、ポリウレタン又はネオプレンである、請求項１〜５のいずれか１項記載のエラストマー製品。
【請求項７】
担体が、少なくとも20の炭素原子を有する第四級アンモニウム化合物を含む、請求項１〜６のいずれか１項記載のエラストマー製品。
【請求項８】
担体がベヘントリモニウムメトサルフェートを含む、請求項７記載のエラストマー製品。
【請求項９】
有益な添加剤が、皮膚軟化剤、湿潤剤、抗酸化剤、中和剤、キレート化剤、抗刺激剤、ビタミン、スキンコンディショナー、α-ヒドロキシ酸、保湿剤、有益な植物性薬品及びその抽出物、並びにそれらの混合物からなる群より選択される、請求項１〜８のいずれか１項記載のエラストマー製品。
【請求項１０】
有益な添加剤が緑茶抽出物を含む、請求項１〜９のいずれか１項記載のエラストマー製品。
【請求項１１】
有益な添加剤がカモミール又はカモミール抽出物である、請求項１〜１０のいずれか１項記載のエラストマー製品。
【請求項１２】
有益な添加剤がアラントインを含む、請求項１〜１１のいずれか１項記載のエラストマー製品。
【請求項１３】
コーティング組成物が更にシリコーンポリマーを含む、請求項１〜１２のいずれか１項記載のエラストマー製品。
【請求項１４】
シリコーンポリマーがジメチコンを含む、請求項１３記載のエラストマー製品。
【請求項１５】
主母材が基層及び着用層を含み、前記主母材の皮膚接触表面が前記着用層の外面である、請求項１〜１４のいずれか１項記載のエラストマー製品。
【請求項１６】
コーティング組成物が、該皮膚接触表面上で無水物であって、担体を質量で約80％〜約99％及び臨床上有益な添加剤を質量で約1％〜約20％含む、請求項１〜１５のいずれか１項記載のエラストマー製品。
【請求項１７】
コーティング組成物がアロエベラを含まない、請求項１〜１６のいずれか１項記載のエラストマー製品。
【請求項１８】
コーティング組成物が、無水組成物であって、担体を質量で約80％〜約99％、臨床上有益な添加剤を質量で約1％〜約20％、及びシリコーンポリマーを質量で約20％まで含む、請求項１〜１７のいずれか１項記載のエラストマー手袋。
【請求項１９】
コーティング組成物が、１の手袋あたり約0.001 g〜約5 gの量で手袋に施される、請求項１〜１８のいずれか１項記載のエラストマー製品。
【請求項２０】
コーティング組成物が水溶性組成物としてエラストマー製品に施され、前記水溶性組成物が、担体を質量で約0.1％〜約4％、シリコーンポリマーを質量で約0.1％〜約4％及び臨床上有益な添加剤を質量で約0.001％〜約20％含む、請求項１〜１９のいずれか１項記載のエラストマー手袋。
【手続補正２】
【補正対象書類名】明細書
【補正対象項目名】００２５
【補正方法】変更
【補正の内容】
【００２５】
コーティング組成物を施した後、手袋は、タンブル乾燥器中で、最終的に乾燥させられ、手袋上のコーティングが無水物であることを確実にし得る。例えば、乾燥したコーティングが、手袋あたり約0.001 g〜約5 gの量で手袋上に施されもよい。一態様では、手袋表面の乾燥したコーティングが、手袋あたり約0.01 g〜約1 gの量で存在し得る。別の態様では、手袋表面の乾燥したコーティングが、手袋あたり約0.01 g〜約0.10 gの量で存在し得る。別の態様では、手袋表面上の乾燥したコーティングが、手袋あたり約0.01 g〜約0.07 gの量で存在し得る。更に別の態様では、乾燥したコーティングが、手袋あたり約0.035 gの量で存在し得る。
図３は、本発明の一態様に従って製造した製品の一部分の断面を図示している。この特定の態様では、手袋の主母材（３０）が、単層の主母材である。コーティング組成物（３２）は、主母材の表面（３４）に配置されている。
本発明の好ましい態様の具体例として、例えば以下のものが挙げられる。
（本発明の態様１）
エラストマーポリマーと皮膚接触表面とを含む、主母材；及び
臨床上有益な添加剤と担体とを含んでおり、前記皮膚接触表面に施される、コーティング組成物；
を含むエラストマー製品。
（本発明の態様２）
エラストマーポリマーがブロックコポリマーを含む、本発明の態様１のエラストマー製品。
（本発明の態様３）
ブロックコポリマーが、スチレン-イソプレン-スチレンブロックコポリマー類、スチレン-ポリブタジエン-スチレンブロックコポリマー類、スチレン-ブタジエンブロックコポリマー類、スチレン-エチレンブチレン-スチレンブロックコポリマー類及びそれらの混合物からなる群より選択される、本発明の態様２のエラストマー製品。
（本発明の態様４）
担体が自己乳化ワックスを含む、本発明の態様１のエラストマー製品。
（本発明の態様５）
主母材が、天然ゴム、ニトリルゴム、ポリウレタン又はネオプレンである、本発明の態様１のエラストマー製品。
（本発明の態様６）
担体が、少なくとも20の炭素原子を有する第四級アンモニウム化合物を含む、本発明の態様１のエラストマー製品。
（本発明の態様７）
担体がベヘントリモニウムメトサルフェートを含む、本発明の態様６のエラストマー製品。
（本発明の態様８）
有益な添加剤が、皮膚軟化剤、湿潤剤、抗酸化剤、中和剤、キレート化剤、抗刺激剤、ビタミン、スキンコンディショナー、α-ヒドロキシ酸、保湿剤、有益な植物性薬品及びその抽出物、並びにそれらの混合物からなる群より選択される、本発明の態様１のエラストマー製品。
（本発明の態様９）
有益な添加剤が緑茶抽出物を含む、本発明の態様１のエラストマー製品。
（本発明の態様１０）
有益な添加剤がカモミール又はカモミール抽出物である、本発明の態様１のエラストマー製品。
（本発明の態様１１）
有益な添加剤がアラントインを含む、本発明の態様１のエラストマー製品。
（本発明の態様１２）
コーティング組成物が更にシリコーンポリマーを含む、本発明の態様１のエラストマー製品。
（本発明の態様１３）
シリコーンポリマーがジメチコンを含む、本発明の態様１２のエラストマー製品。
（本発明の態様１４）
主母材が基層及び着用層を含み、前記主母材の皮膚接触表面が前記着用層の外面である、本発明の態様１のエラストマー製品。
（本発明の態様１５）
コーティング組成物が、該皮膚接触表面上で無水物であって、担体を質量で約80％〜約99％及び臨床上有益な添加剤を質量で約1％〜約20％含む、本発明の態様１のエラストマー製品。
（本発明の態様１６）
エラストマー製品が手袋である、本発明の態様１のエラストマー製品。
（本発明の態様１７）
コーティング組成物が、手袋あたり約0.001 g〜約5 gの量で手袋に施される、本発明の態様１６のエラストマー製品。
（本発明の態様１８）
コーティング組成物がアロエベラを含まない、本発明の態様１のエラストマー製品。
（本発明の態様１９）
エラストマーブロックコポリマーと皮膚接触表面とを含む、主母材；及び
臨床上有益な添加剤と、シリコーンポリマーと、ベヘントリモニウムメトサルフェートを含む自己乳化ワックスとを含み、前記皮膚接触表面に施される、コーティング組成物；
を含むエラストマー手袋。
（本発明の態様２０）
ブロックコポリマーが、スチレン-イソプレン-スチレンブロックコポリマー類、スチレン-ポリブタジエン-スチレンブロックコポリマー類、スチレン-ブタジエンブロックコポリマー類、スチレン-エチレンブチレン-スチレンブロックコポリマー類及びこれらの混合物からなる群より選択される、本発明の態様１９のエラストマー手袋。
（本発明の態様２１）
臨床上有益な添加剤が、皮膚軟化剤、湿潤剤及びそれらの混合物からなる群より選択される、本発明の態様１９のエラストマー手袋。
（本発明の態様２２）
有益な添加剤が緑茶抽出物を含む、本発明の態様１９のエラストマー手袋。
（本発明の態様２３）
有益な添加剤がカモミール又はカモミール抽出物である、本発明の態様１９のエラストマー手袋。
（本発明の態様２４）
有益な添加剤がアラントインを含む、本発明の態様１９のエラストマー手袋。
（本発明の態様２５）
シリコーンポリマーがジメチコンを含む、本発明の態様１９のエラストマー手袋。
（本発明の態様２６）
主母材が基層及び着用層を含み、主母材の皮膚接触表面が前記着用層の外面である、本発明の態様１９のエラストマー手袋。
（本発明の態様２７）
コーティング組成物が、無水組成物であって、担体を質量で約80％〜約99％、臨床上有益な添加剤を質量で約1％〜約20％、及びシリコーンポリマーを約20％まで含む、本発明の態様１９のエラストマー手袋。
（本発明の態様２８）
コーティング組成物が、手袋あたり約0.001 g〜約5 gの量で手袋に施される、本発明の態様１９のエラストマー手袋。
（本発明の態様２９）
コーティング組成物が水溶性組成物としてエラストマー製品に施され、前記水溶性組成物が、担体を質量で約0.1％〜約4％、シリコーンポリマーを質量で約0.1％〜約4％及び臨床上有益な添加剤を質量で約0.001％〜約20％含む、本発明の態様１９のエラストマー手袋。
本発明に対する上述及びその他の改変及び変法は、クレームで詳細に示されている本発明の意図及び範囲を離れることなく、当業者によって実施され得る。更に、上述の説明がほんの一例であって、クレームで詳しく説明されている本発明を限定することを意図しないということは、当業者には理解できるであろう。